【手続補正書】
【提出日】令和2年8月17日(2020.8.17)
【手続補正１】
【補正対象書類名】特許請求の範囲
【補正対象項目名】全文
【補正方法】変更
【補正の内容】
【特許請求の範囲】
【請求項１】
熱源流体が流れる管状の熱源流体管（２０、２１、２５）と、
相変化する作動流体が封入された管状の作動流体管（１１）とを備え、
前記作動流体管は、
前記作動流体と前記熱源流体との間で熱伝導が行われて前記作動流体が相変化をする相変化部（１２、１３）と、
前記作動流体と温調対象物（２）との間で熱伝導が行われて、前記作動流体が、前記相変化部における相変化とは逆の相変化をする温度調整部（１４）とを有しており、
さらに、前記相変化部を前記熱源流体管に対して着脱可能に固定する固定部材（２２、２６）とを備え、
前記相変化部は、前記作動流体が凝縮する凝縮部（１３）と、前記作動流体が蒸発する蒸発部（１２）とを有しており、
前記熱源流体管は、前記凝縮部および前記蒸発部の両方と熱的に接触している単一の管状部材であるサーモサイフォン式温調装置。
【請求項２】
前記熱源流体管は、前記凝縮部の流路断面において重力方向における中央位置よりも上方に位置する部位と熱的に接触している請求項１に記載のサーモサイフォン式温調装置。
【請求項３】
前記凝縮部は、前記温度調整部に向かうにつれて下方に位置するように傾斜している請求項２に記載のサーモサイフォン式温調装置。
【請求項４】
前記凝縮部と前記熱源流体管との間に介在して、前記凝縮部と前記熱源流体管とを熱的に接触させる熱伝導部材（３２）を備える請求項２または３に記載のサーモサイフォン式温調装置。
【請求項５】
前記熱源流体管は、前記蒸発部の流路断面において重力方向における中央位置よりも下方に位置する部位と熱的に接触している請求項１ないし４のいずれか１つに記載のサーモサイフォン式温調装置。
【請求項６】
前記蒸発部は、前記温度調整部に向かうにつれて上方に位置するように傾斜している請求項５に記載のサーモサイフォン式温調装置。
【手続補正２】
【補正対象書類名】明細書
【補正対象項目名】発明の名称
【補正方法】変更
【補正の内容】
【発明の名称】サーモサイフォン式温調装置
【手続補正３】
【補正対象書類名】明細書
【補正対象項目名】０００１
【補正方法】変更
【補正の内容】
【０００１】
本発明は、サーモサイフォンの原理を利用した温調装置に関する。
【手続補正４】
【補正対象書類名】明細書
【補正対象項目名】００１３
【補正方法】変更
【補正の内容】
【００１３】
上記目的を達成するため、請求項１に記載のサーモサイフォン式温調装置では、
熱源流体が流れる管状の熱源流体管（２０、２１、２５）と、
相変化する作動流体が封入された管状の作動流体管（１１）とを備え、
作動流体管（１１）は、
作動流体と熱源流体との間で熱伝導が行われて作動流体が相変化をする相変化部（１２、１３）と、
作動流体と温調対象物（２）との間で熱伝導が行われて、作動流体が、相変化部（１２、１３）における相変化とは逆の相変化をする温度調整部（１４）とを有しており、
さらに、相変化部（１２、１３）を熱源流体管（２０、２１、２５）に対して着脱可能に固定する固定部材（２２、２６）とを備え、
相変化部は、作動流体が凝縮する凝縮部（１３）と、作動流体が蒸発する蒸発部（１２）とを有しており、
熱源流体管は、凝縮部（１３）および蒸発部（１２）の両方と熱的に接触している単一の管状部材である。
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００２０
【補正方法】変更
【補正の内容】
【００２０】
【図１】第１実施形態におけるサーモサイフォン式温調装置の斜視図である。
【図２】図１のＩＩ−ＩＩ断面図である。
【図３】第１実施形態の蒸発部と蒸発熱源配管との配置関係の第１変形例を示す断面図である。
【図４】第１実施形態の蒸発部と蒸発熱源配管との配置関係の第２変形例を示す断面図である。
【図５】図１のＶ−Ｖ断面図である。
【図６】第１実施形態の凝縮部と凝縮熱源配管との配置関係の第１変形例を示す断面図である。
【図７】第１実施形態の凝縮部と凝縮熱源配管との配置関係の第２変形例を示す断面図である。
【図８】第２実施形態におけるサーモサイフォン式温調装置の斜視図である。
【図９】第３実施形態におけるサーモサイフォン式温調装置の斜視図である。
【図１０】第４実施形態におけるサーモサイフォン式温調装置の斜視図である。
【図１１】第５実施形態におけるサーモサイフォン式温調装置の斜視図である。
【図１２】第６実施形態におけるサーモサイフォン式温調装置の斜視図である。
【図１３】第７実施形態の第１実施例における蒸発部と蒸発熱源配管との配置関係を示す断面図である。
【図１４】第７実施形態の第１実施例における凝縮部と凝縮熱源配管との配置関係を示す断面図である。
【図１５】第７実施形態の第２実施例における蒸発部と蒸発熱源配管との配置関係を示す断面図である。
【図１６】第７実施形態の第２実施例における凝縮部と凝縮熱源配管との配置関係を示す断面図である。
【図１７】第８実施形態の第１実施例における蒸発部と蒸発熱源配管との配置関係を示す断面図である。
【図１８】第８実施形態の第１実施例における凝縮部と凝縮熱源配管との配置関係を示す断面図である。
【図１９】第８実施形態の第２実施例における蒸発部と蒸発熱源配管との配置関係を示す断面図である。
【図２０】第８実施形態の第２実施例における凝縮部と凝縮熱源配管との配置関係を示す断面図である。
【図２１】第９実施形態の第１実施例における蒸発部と蒸発熱源配管との配置関係を示す断面図である。
【図２２】第９実施形態の第１実施例における凝縮部と凝縮熱源配管との配置関係を示す断面図である。
【図２３】第９実施形態の第２実施例における蒸発部と蒸発熱源配管との配置関係を示す断面図である。
【図２４】第９実施形態の第２実施例における凝縮部と凝縮熱源配管との配置関係を示す断面図である。
【図２５】第１０実施形態におけるサーモサイフォン式温調装置の平面図である。
【図２６】図２５のＸＸＶＩ矢視図である。
【図２７】第１０実施形態の第１実施例における１組の冷媒配管および組電池を示す平面図である。
【図２８】図２７のＸＸＶＩＩＩ矢視図である。
【図２９】図２７のＸＸＩＸ矢視図である。
【図３０】図２６のＸＸＸ−ＸＸＸ断面図である。
【図３１】第１０実施形態の第２実施例における１組の冷媒配管および組電池を示す平面図である。
【図３２】図３１のＸＸＸＩＩ矢視図である。
【図３３】図３１のＸＸＸＩＩＩ矢視図である。
【図３４】第１０実施形態の第３実施例における１組の冷媒配管および組電池を示す平面図である。
【図３５】図３４のＸＸＸＶ矢視図である。
【図３６】図３４のＸＸＸＶＩ矢視図である。
【図３７】図３６のＸＸＸＶＩＩ−ＸＸＸＶＩＩ断面図である。
【図３８】第１０実施形態の第３実施例の変形例を示す断面図である。
【図３９】第１１実施形態の第１実施例におけるサーモサイフォン式温調装置の斜視図である。
【図４０】第１１実施形態の第１実施例における凝縮部とドレン排水管との固定構造を示す断面図である。
【図４１】第１１実施形態の第１実施例における凝縮部とドレン排水管との固定構造の第１変形例を示す断面図である。
【図４２】第１１実施形態の第１実施例における凝縮部とドレン排水管との固定構造の第２変形例を示す断面図である。
【図４３】第１１実施形態の第２実施例における凝縮部とドレン排水管との固定構造を示す斜視図である。
【図４４】第１２実施形態におけるサーモサイフォン式温調装置の模式図である。
【手続補正８】
【補正対象書類名】明細書
【補正対象項目名】０１４０
【補正方法】変更
【補正の内容】
【０１４０】
第２実施例では、蒸発部１２および凝縮部１３は、温度調整部１４との間で屈曲していない。また、蒸発部１２および凝縮部１３は車両上下方向に延びている。
【手続補正９】
【補正対象書類名】明細書
【補正対象項目名】０１４４
【補正方法】変更
【補正の内容】
【０１４４】
図３７に示すように、冷媒配管１１のうち熱伝導板３２と接触する部位は平面状に形成されている。これにより、冷媒配管１１と熱伝導板３２との接触面積を大きくすることができる。
【手続補正１０】
【補正対象書類名】明細書
【補正対象項目名】０１４５
【補正方法】変更
【補正の内容】
【０１４５】
図３８に示すように、冷媒配管１１と熱伝導板３２との間に中間部材３３が配置されていてもよい。冷媒配管１１は、熱伝導板３２と中間部材３３を介して熱的に接触している。中間部材２８は、高い熱伝導性を有する材料（例えばアルミニウム合金などの金属材料）で形成されている。これにより、冷媒配管１１と熱伝導板３２との実質的な接触面積を大きくすることができる。